(57)【特許請求の範囲】
【請求項１】
通信回線を介して画情報をファクシミリ送受信するファクシミリ装置において、
電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、前記ＩＤが一致する電子メールが有ると判断したらユーザによる原稿読み込み指示があったか否かを判断して、ユーザによる原稿読み込み指示が有ったと判断したら原稿の画像を読み込んでその画情報を入力し、該入力した画情報に前記電子メールの内容を送付票として添付してファクシミリ送信する手段を設けたことを特徴とするファクシミリ装置。
【請求項２】
通信回線を介して画情報をファクシミリ送受信するファクシミリ装置において、
電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、前記ＩＤが一致する電子メールが有ると判断したら前記電子メールから宛先番号を取り出し、ユーザによる原稿読み込み指示が有ったか否かを判断して、ユーザによる原稿読み込み指示が有ったと判断したら原稿の画像を読み込んでその画情報を入力し、該入力した画情報に前記電子メールの内容を送付票として添付し、前記電子メールから取り出した宛先番号の宛先へファクシミリ送信する手段を設けたことを特徴とするファクシミリ装置。
【請求項３】
通信回線を介して画情報をファクシミリ送受信するファクシミリ装置において、
電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、前記ＩＤが一致する電子メールが有ると判断したら前記電子メールから中継局のファクシミリ番号と送信先の宛先番号を取り出し、ユーザによる原稿読み込み指示が有ったか否かを判断して、ユーザによる原稿読み込み指示が有ったと判断したら原稿の画像を読み込んでその画情報を入力し、該入力した画情報に電子メールの内容を送付票として添付し、その画情報と送付票と宛先番号とを前記電子メールから取り出した中継局のファクシミリ番号へファクシミリ中継依頼送信する手段を設けたことを特徴とするファクシミリ装置。
【発明の詳細な説明】
【０００１】
【発明の属する技術分野】
この発明は、ファクシミリ装置に関する。
【０００２】
【従来の技術】
近年、ファクシミリ信号に音声メッセージを付加して蓄積し、そのファクシミリ信号と共に音声を再生できるようにしたファクシミリ装置（例えば、特開平５−２２７２０５号公報参照）があった。
ところで、従来のファクシミリ装置では、原稿のファクシミリ送信を行なう際、原稿送信に先立って挨拶文等の送付票を添付して送信していた。
【０００３】
【発明が解決しようとする課題】
しかしながら、従来のファクシミリ装置では、送付票をその都度作成しなければならなかった。例えば、すでに存在している原稿を単に送付する場合でも、その宛先が異なればそれぞれの宛先を明記した新たな送付票を作成しなければならなかった。したがって、送付票付きのファクシミリ送信の作業が煩雑であるという問題があった。
【０００４】
この発明は上記の点に鑑みてなされたものであり、送付票付きのファクシミリ送信の作業を軽減することを目的とする。
【０００６】
【課題を解決するための手段】
この発明は上記の目的を達成するため、通信回線を介して画情報をファクシミリ送受信するファクシミリ装置において、電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、上記ＩＤが一致する電子メールが有ると判断したらユーザによる原稿読み込み指示があったか否かを判断して、ユーザによる原稿読み込み指示が有ったと判断したら原稿の画像を読み込んでその画情報を入力し、その入力した画情報に上記電子メールの内容を送付票として添付してファクシミリ送信する手段を設けるとよい。
【０００７】
また、通信回線を介して画情報をファクシミリ送受信するファクシミリ装置において、電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、上記ＩＤが一致する電子メールが有ると判断したら上記電子メールから宛先番号を取り出し、ユーザによる原稿読み込み指示が有ったか否かを判断して、ユーザによる原稿読み込み指示が有ったと判断したら原稿の画像を読み込んでその画情報を入力し、その入力した画情報に上記電子メールの内容を送付票として添付し、上記電子メールから取り出した宛先番号の宛先へファクシミリ送信する手段を設けるとよい。
【０００８】
さらに、通信回線を介して画情報をファクシミリ送受信するファクシミリ装置において、電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、上記ＩＤが一致する電子メールが有ると判断したら上記電子メールから中継局のファクシミリ番号と送信先の宛先番号を取り出し、ユーザによる原稿読み込み指示が有ったか否かを判断して、ユーザによる原稿読み込み指示が有ったと判断したら原稿の画像を読み込んでその画情報を入力し、その入力した画情報に電子メールの内容を送付票として添付し、その画情報と送付票と宛先番号とを上記電子メールから取り出した中継局のファクシミリ番号へファクシミリ中継依頼送信する手段を設けるとよい。
【００１０】
この発明の請求項１のファクシミリ装置は、電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、上記ＩＤが一致する電子メールが有ると判断したらユーザによる原稿読み込み指示があったか否かを判断して、ユーザによる原稿読み込み指示が有ったと判断したら原稿の画像を読み込んでその画情報を入力し、その入力した画情報に前記電子メールの内容を送付票として添付してファクシミリ送信するので、簡単な入力作業で画情報に所望の送付票を添付してファクシミリ送信することができ、送付票付きのファクシミリ送信の作業を軽減することができる。
【００１１】
また、この発明の請求項２のファクシミリ装置は、電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、上記ＩＤが一致する電子メールが有ると判断したら上記電子メールから宛先番号を取り出し、ユーザによる原稿読み込み指示が有ったか否かを判断して、ユーザによる原稿読み込み指示が有ったと判断したら原稿の画像を読み込んでその画情報を入力し、その入力した画情報に上記電子メールの内容を送付票として添付し、上記電子メールから取り出した宛先番号の宛先へファクシミリ送信するので、ユーザの宛先入力作業を軽減することができる。
【００１２】
さらに、この発明の請求項３のファクシミリ装置は、電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、上記ＩＤが一致する電子メールが有ると判断したら上記電子メールから中継局のファクシミリ番号と送信先の宛先番号を取り出し、ユーザによる原稿読み込み指示が有ったか否かを判断して、ユーザによる原稿読み込み指示が有ったと判断したら原稿の画像を読み込んでその画情報を入力し、その入力した画情報に電子メールの内容を送付票として添付し、その画情報と送付票と宛先番号とを上記電子メールから取り出した中継局のファクシミリ番号へファクシミリ中継依頼送信するので、ユーザの宛先入力と中継依頼送信作業を軽減することができる。
【００１３】
【発明の実施の形態】
以下、この発明の実施の形態を図面に基づいて具体的に説明する。
図１は、この発明の一実施形態のファクシミリ装置の構成を示すブロック図である。このファクシミリ装置は、操作表示部（ＯＰＵ）１，読取部（ＳＣＡＮＮＥＲ）２，書込部（ＰＬＯＴＴＥＲ）３，バッファ（ＢＵＦＦＥＲ）４，圧縮復号部（ＤＣＲ）５，中央制御部（ＳＣＵ）６，画情報蓄積部（ＳＡＦ）７，通信制御部（ＣＣＵ）８，網制御部（ＮＣＵ）９，モデム（ＭＤＭ）１０，ローカルエリアネットワーク（ＬＡＮ）接続インタフェース（Ｉ／Ｆ）１１，及びバス１２を備えている。
【００１４】
操作表示部１は、この発明に係る電子メールを用いた送付票付きファクシミリ送信の遠隔操作入力等の各種の操作情報を入力するキーボード等の入力部と、ファクシミリ通信時の各種のメッセージを表示するＬＣＤ等の表示部とからなる。読取部２は、原稿の画像を光学的に読み取ってその画情報を入力するスキャナである。書込部３は、ファクシミリ受信した画情報や各種レポートを記録紙に印字するレーザプリンタやインクジェットプリンタ等の印刷装置である。
【００１５】
バッファ４は、画情報をペリフェラル間でやり取りするときの中間バッファメモリである。圧縮復号部５は、画情報の圧縮と伸長処理を行なうＤＣＲである。中央制御部６は、ＣＰＵ及びメインメモリを搭載したマイクロコンピュータであり、このファクシミリ装置全体の制御を司る。画情報蓄積部７は、画情報をファイルとして蓄積するメモリである。
【００１６】
通信制御部８は、ファクシミリ通信制御を行なうコミュニケーションコントロールユニットである。網制御部９は、公衆回線等の通信回線との接続と切断を管理するネットワークコントロールユニットである。
【００１７】
モデム１０は、データ通信時の信号の変復調を行なう。ＬＡＮ接続Ｉ／Ｆ１１は、パーソナルコンピュータ等の外部端末装置とデータ通信可能に接続し、その外部端末装置から電子メールを受信する制御を行なう。バス１２は上記各部間で各種のデータをやり取りする通信線である。
【００１８】
すなわち、上記通信制御部８が、通信回線を介して画情報をファクシミリ送受信する手段の機能を果たす。上記読取部２が、原稿の画像を読み取ってその画情報を入力する画像読取手段に相当する。
【００１９】
上記ＬＡＮ接続Ｉ／Ｆ１１が、外部端末装置から電子メールを受信する電子メール受信手段に相当する。
上記中央制御部６が、読取部２によって入力した画情報にＬＡＮ接続Ｉ／Ｆ１１によって受信した電子メールを送付票として添付してファクシミリ送信する送付票付きファクシミリ送信手段の機能を果たす。
【００２０】
また、上記読取部２と画情報蓄積部７が、原稿の画像を読み取ってその画情報を蓄積する画情報蓄積手段の機能を果たす。
上記操作表示部１が、遠隔操作によるファクシミリ送信を指示する手段と、ユーザに遠隔送信を受け付けるためにＩＤ番号を通知する手段と、ユーザが遠隔送信を指示したＩＤ番号をファクシミリに指示する手段との機能を果たす。
【００２１】
上記ＬＡＮ接続Ｉ／Ｆ１１が、外部端末装置から電子メールを受信する電子メール受信手段の機能を果たす。
上記中央制御部６が、電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、上記ＩＤが一致する電子メールが有ると判断したらユーザによる原稿読み込み指示があったか否かを判断して、ユーザによる原稿読み込み指示が有ったと判断したら原稿の画像を読み込んでその画情報を入力し、その入力した画情報に上記電子メールの内容を送付票として添付してファクシミリ送信する手段の機能を果たす。
【００２２】
さらに、上記中央制御部６が、電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、上記ＩＤが一致する電子メールが有ると判断したら上記電子メールから宛先番号を取り出し、ユーザによる原稿読み込み指示が有ったか否かを判断して、ユーザによる原稿読み込み指示が有ったと判断したら原稿の画像を読み込んでその画情報を入力し、その入力した画情報に上記電子メールの内容を送付票として添付し、上記電子メールから取り出した宛先番号の宛先へファクシミリ送信する手段と、電子メールによる送付票を添付してファクシミリ送信する遠隔操作の指示が有ったか否かを判断して、その指示が有ったと判断したらユーザによるＩＤ入力指示が有ったか否かを判断して、そのＩＤ入力指示が有ったと判断したらメモリ内に蓄積された電子メールの受信ファイルを検索してＩＤが一致する電子メールが有るか否かを判断して、上記ＩＤが一致する電子メールが有ると判断したら上記電子メールから中継局のファクシミリ番号と送信先の宛先番号を取り出し、ユーザによる原稿読み込み指示が有ったか否かを判断して、ユーザによる原稿読み込み指示が有ったと判断したら原稿の画像を読み込んでその画情報を入力し、その入力した画情報に電子メールの内容を送付票として添付し、その画情報と送付票と宛先番号とを上記電子メールから取り出した中継局のファクシミリ番号へファクシミリ中継依頼送信する手段の機能も果たす。
【００２３】
次に、このファクシミリ装置の遠隔操作による送付票付きファクシミリ送信処理について説明する。
図２は、図１に示したファクシミリ装置における送付票付きファクシミリ送信の処理を示すフローチャートである。
【００２４】
この処理は、ステップ（図中「Ｓ」で示す）１で電子メールによる送付票を添付してファクシミリ送信する遠隔操作の遠隔送信キーの指示があったか否かを判断して、無ければその遠隔操作の指示待ちをし、有ればステップ２へ進んでユーザによるＩＤ入力指示が有ったか否かを判断して、無ければそのＩＤ入力の指示待ちをする。このＩＤは画情報とそれに添付する電子メールとの照合に用いる識別情報である。
【００２５】
ステップ２の判断でＩＤ入力指示が有ったら、ステップ３へ進んでメモリ内に蓄積された電子メールの受信ファイルを検索してＩＤが一致する電子メールが有るか否かを判断して、ＩＤが一致する電子メールが有ればステップ４へ進んでユーザによる操作表示部からの宛先番号（宛先のファクシミリ番号）を入力し、ステップ５へ進んでユーザによる原稿読み込み指示があったか否かを判断する。
【００２６】
ステップ５の判断でユーザによる原稿読み込み指示が有ったら、ステップ６へ進んで原稿の画像を読み込んでその画情報を入力し、ステップ７へ進んでその画情報に電子メールの内容（受信情報）を送付票として添付し、ステップ８へ進んでユーザによって入力された宛先へそれらをファクシミリ送信して、この処理を終了する。
【００２７】
一方、ステップ２の判断でＩＤ入力指示がなければ、ステップ１１へ進んで原稿の読み込み指示が有ったか否かを判断して、無かったら最初の処理へ戻り、有ったらステップ１２へ進んでＩＤ番号をファクシミリ装置側で自動発行（自動設定）し、操作表示部の表示部又は書込部の印字動作によってユーザに通知する。
【００２８】
その後、ステップ１３へ進んでユーザによる操作表示部からの宛先番号（宛先のファクシミリ番号）を入力し、ステップ２３へ進んで原稿の画像を読み込んでその画情報を入力し、ステップ２４へ進んで電子メールの着信待ちをし、ステップ２５へ進んで電子メールが着信したか否かを判断する。
【００２９】
ステップ２５の判断で電子メールが着信しなければ、ステップ２４へ戻って着信待ちをし、着信したらステップ２６へ進んで画情報に電子メールの内容（受信情報）を送付票として添付し、ステップ２７へ進んでユーザによって入力された宛先へそれらをファクシミリ送信して、この処理を終了する。
【００３０】
さらに、ステップ３の判断でＩＤが一致する電子メールがなくて、その電子メールをまだ受信していないとき、ステップ２１へ進んでユーザによる操作表示部からの宛先番号（宛先のファクシミリ番号）を入力し、ステップ２２へ進んでユーザによる原稿読み込み指示があったか否かを判断する。
【００３１】
ステップ２２の判断でユーザによる原稿読み込み指示が有ったら、ステップ２３へ進んで原稿の画像を読み込んでその画情報を入力してＳＡＦに蓄積し、ステップ２４へ進んで電子メールの着信待ちをし、ステップ２５へ進んで電子メールが着信したか否かを判断する。
【００３２】
ステップ２５の判断で電子メールが着信しなければ、ステップ２４へ戻って着信待ちをし、着信したらステップ２６へ進んでＳＡＦに蓄積された画情報に受信した電子メールの内容（受信情報）を送付票として添付し、ステップ２７へ進んでユーザによって入力された宛先へそれらをファクシミリ送信して、この処理を終了する。
【００３３】
このようにして、原稿の画像を読み取って入力した画情報に、外部端末装置から受信した電子メールを送付票として添付してファクシミリ送信するので、外部端末装置で作成された電子メールの送付票を受信すると、その電子メールをファクシミリ装置で入力した画情報に送付票としてつけ加えて宛先へファクシミリ送信するので、送付票付きのファクシミリ送信の作業を軽減することができる。また、蓄積した画情報に、受信した電子メールの受信情報を送付票として添付して送信するので、ファクシミリ装置の持つフォントで入力されて美しく読み易いコメントの送付票を容易に送信することができる。
【００３４】
また、その送付票を電子メールの送信控えとして残すことができるので文書管理も容易に行なえる。
さらに、前回使用した送付票をエデットして再利用することもできるので、送付票の入力負担を軽減すると共に資源を最大限利用することができる。
さらにまた、画情報と送付票をＩＤ番号によって対応させるので、複数の遠隔操作の指示を行なっても画情報に添付する送付票を取り違えなくて済む。
【００３５】
次に、このファクシミリ装置で送付票に記載された宛先に基づいて自動的に送付票付きファクシミリ送信するときの処理について説明する。
図３は、図１に示したファクシミリ装置における送付票に記載された宛先へファクシミリ送信するときの処理を示すフローチャートである。
【００３６】
この処理は、ステップ（図中「Ｓ」で示す）１０１で電子メールによる送付票を添付してファクシミリ送信する遠隔操作の遠隔送信キーの指示があったか否かを判断して、無ければその遠隔操作の指示待ちをし、有ればステップ１０２へ進んでユーザによるＩＤ入力指示が有ったか否かを判断して、無ければそのＩＤ入力の指示待ちをする。このＩＤは画情報とそれに添付する電子メールとの照合に用いる識別情報である。
【００３７】
ステップ１０２の判断でＩＤ入力指示が有ったら、ステップ１０３へ進んでメモリ内に蓄積された電子メールの受信ファイルを検索してＩＤが一致する電子メールが有るか否かを判断して、ＩＤが一致する電子メールが有ったらステップ１０４へ進んで電子メールから宛先番号（宛先のファクシミリ番号）を取り出し、ステップ１０５へ進んでユーザによる原稿読み込み指示があったか否かを判断する。
【００３８】
ステップ１０５の判断でユーザによる原稿読み込み指示が有ったら、ステップ１０６へ進んで原稿の画像を読み込んでその画情報を入力し、ステップ１０７へ進んでその画情報に電子メールの内容（受信情報）を送付票として添付し、ステップ１０８へ進んで電子メールから取り出した宛先番号の宛先へそれらをファクシミリ送信して、この処理を終了する。
【００３９】
一方、ステップ１０２の判断でＩＤ入力指示がなければ、ステップ１１１へ進んで原稿の読み込み指示が有ったか否かを判断して、無かったら最初の処理へ戻り、有ったらステップ１１２へ進んでＩＤ番号をファクシミリ装置側で自動発行（自動設定）し、操作表示部の表示部又は書込部の印字動作によってユーザに通知する。
【００４０】
その後、ステップ１２３へ進んで原稿の画像を読み込んでその画情報を入力し、ステップ１２４へ進んで電子メールの着信待ちをし、ステップ１２５へ進んで電子メールが着信したか否かを判断する。
【００４１】
ステップ１２５の判断で電子メールが着信しなければ、ステップ１２４へ戻って着信待ちをし、着信したらステップ１２６へ進んでその電子メールから宛先番号を取り出し、ステップ１２７へ進んで画情報に電子メールの内容（受信情報）を送付票として添付し、ステップ１２８へ進んで電子メールから取り出した宛先番号の宛先へそれらをファクシミリ送信して、この処理を終了する。
【００４２】
さらに、ステップ１０３の判断でＩＤが一致する電子メールがなくて、その電子メールをまだ受信していないとき、ステップ１２２へ進んでユーザによる原稿読み込み指示があったか否かを判断する。
【００４３】
ステップ１２２の判断でユーザによる原稿読み込み指示が有ったら、ステップ１２３へ進んで原稿の画像を読み込んでその画情報を入力してＳＡＦに蓄積し、ステップ１２４へ進んで電子メールの着信待ちをし、ステップ１２５へ進んで電子メールが着信したか否かを判断する。
【００４４】
ステップ１２５の判断で電子メールが着信しなければ、ステップ１２４へ戻って着信待ちをし、着信したらステップ１２６へ進んで電子メールから宛先番号を取り出し、ステップ１２７へ進んでＳＡＦに蓄積された画情報に受信した電子メールの内容（受信情報）を送付票として添付し、ステップ１２８へ進んで電子メールから取り出した宛先番号の宛先へそれらをファクシミリ送信して、この処理を終了する。
【００４５】
このようにして、外部端末装置から受信した電子メールに任意のフォーマットで記載されたファクシミリ番号を宛先として発呼し、その宛先へ電子メールの送付票を添付した画情報を送信するので、ファクシミリ送信作業をより簡単に行なえるようになってユーザの作業負担を軽減する。
【００４６】
また、番号の検索，入力し易いデスク上で送付票の入力が可能になる。さらに、パーソナルコンピュータ等の外部端末装置上に宛先用の宛先番号が管理されていれば、それからコピーすることによって送付票への宛先の誤入力を防止できる。
【００４７】
次に、このファクシミリ装置で送付票に記載された宛先に基づいて自動的に送付票付きファクシミリ中継依頼送信するときの処理について説明する。
図４は、図１に示したファクシミリ装置における送付票に記載された宛先へファクシミリ中継依頼送信するときの処理を示すフローチャートである。
【００４８】
この処理は、ステップ（図中「Ｓ」で示す）２０１で電子メールによる送付票を添付してファクシミリ送信する遠隔操作の遠隔送信キーの指示があったか否かを判断して、無ければその遠隔操作の指示待ちをし、有ればステップ２０２へ進んでユーザによるＩＤ入力指示が有ったか否かを判断して、無ければそのＩＤ入力の指示待ちをする。このＩＤは画情報とそれに添付する電子メールとの照合に用いる識別情報である。
【００４９】
ステップ２０２の判断でＩＤ入力指示が有ったら、ステップ２０３へ進んでメモリ内に蓄積された電子メールの受信ファイルを検索してＩＤが一致する電子メールが有るか否かを判断して、ＩＤが一致する電子メールが有ったらステップ２０４へ進んで電子メールから中継局のファクシミリ番号と送信先の宛先番号（宛先のファクシミリ番号）を取り出し、ステップ２０５へ進んでユーザによる原稿読み込み指示があったか否かを判断する。
【００５０】
ステップ２０５の判断でユーザによる原稿読み込み指示が有ったら、ステップ２０６へ進んで原稿の画像を読み込んでその画情報を入力し、ステップ２０７へ進んでその画情報に電子メールの内容（受信情報）を送付票として添付し、ステップ２０８へ進んで電子メールから取り出した中継局へ画情報と送付票と宛先番号とをファクシミリ中継依頼送信して、この処理を終了する。
【００５１】
一方、ステップ２０２の判断でＩＤ入力指示がなければ、ステップ２１１へ進んで原稿の読み込み指示が有ったか否かを判断して、無かったら最初の処理へ戻り、有ったらステップ２１２へ進んでＩＤ番号をファクシミリ装置側で自動発行（自動設定）し、操作表示部の表示部又は書込部の印字動作によってユーザに通知する。
【００５２】
その後、ステップ２２３へ進んで原稿の画像を読み込んでその画情報を入力し、ステップ２２４へ進んで電子メールの着信待ちをし、ステップ２２５へ進んで電子メールが着信したか否かを判断する。
【００５３】
ステップ２２５の判断で電子メールが着信しなければ、ステップ２２４へ戻って着信待ちをし、着信したらステップ２２６へ進んでその電子メールから中継局のファクシミリ番号と宛先番号を取り出し、ステップ２２７へ進んで画情報に電子メールの内容（受信情報）を送付票として添付し、ステップ２２８へ進んで電子メールから取り出した中継局へ画情報と送付票と宛先番号とをファクシミリ中継依頼送信して、この処理を終了する。
【００５４】
さらに、ステップ２０３の判断でＩＤが一致する電子メールがなくて、その電子メールをまだ受信していないとき、ステップ２２２へ進んでユーザによる原稿読み込み指示があったか否かを判断する。
【００５５】
ステップ２２２の判断でユーザによる原稿読み込み指示が有ったら、ステップ２２３へ進んで原稿の画像を読み込んでその画情報を入力してＳＡＦに蓄積し、ステップ２２４へ進んで電子メールの着信待ちをし、ステップ２２５へ進んで電子メールが着信したか否かを判断する。
【００５６】
ステップ２２５の判断で電子メールが着信しなければ、ステップ２２４へ戻って着信待ちをし、着信したらステップ２２６へ進んで電子メールから中継局のファクシミリ番号を取り出し、ステップ２２７へ進んでＳＡＦに蓄積された画情報に受信した電子メールの内容（受信情報）を送付票として添付し、ステップ２２８へ進んで電子メールから取り出した中継局へ画情報と送付票と宛先番号とをファクシミリ中継依頼送信して、この処理を終了する。
【００５７】
このようにして、外部端末装置から受信した電子メールに任意のフォーマットで記載されたファクシミリ番号を中継宛先として発呼し、その宛先へ電子メールの送付票を添付した画情報と宛先情報とを送信するので、ファクシミリ中継依頼送信作業もより簡単に行なえるようになってユーザの作業負担を軽減する。
【００５８】
また、番号の検索，入力し易いデスク上で送付票の入力が可能になる。さらに、パーソナルコンピュータ等の外部端末装置上に中継依頼宛先用の宛先番号が管理されていれば、それからコピーすることによって送付票への中継依頼宛先の誤入力を防止できる。
【００５９】
【発明の効果】
以上説明してきたように、この発明によるファクシミリ装置によれば、送付票付きのファクシミリ送信の作業を軽減することができる。
【図面の簡単な説明】
【図１】この発明の一実施形態のファクシミリ装置の構成を示すブロック図である。
【図２】図１に示したファクシミリ装置における送付票付きファクシミリ送信の処理を示すフローチャートである。
【図３】図１に示したファクシミリ装置における送付票に記載された宛先へファクシミリ送信するときの処理を示すフローチャートである。
【図４】図１に示したファクシミリ装置における送付票に記載された宛先へファクシミリ中継依頼送信するときの処理を示すフローチャートである。
【符号の説明】
１：操作表示部（ＯＰＵ）
２：読取部（ＳＣＡＮＮＥＲ）
３：書込部（ＰＬＯＴＴＥＲ）
４：バッファ（ＢＵＦＦＥＲ）
５：圧縮復号部（ＤＣＲ）
６：中央制御部（ＳＣＵ）
７：画情報蓄積部（ＳＡＦ）
８：通信制御部（ＣＣＵ）
９：網制御部（ＮＣＵ）
１０：モデム（ＭＤＭ）
１１：ローカルエリアネットワーク（ＬＡＮ）接続インタフェース（Ｉ／Ｆ）
１２：バス
【図１】
0003562907.tif 000002
【図２】
0003562907.tif 000003
【図３】
0003562907.tif 000004
【図４】
0003562907.tif 000005